(57)【要約】【課題】操作者が移動電話機等に触れる方向を検出し、該検出方向に応じて所望の機能を実現することができる移動電話機等を提供する。【解決手段】ケース体の表面近傍に面状に設けられたインピーダンス感知手段と、インピーダンス感知手段によりインピーダンス変化が検出された領域の形状に基づいて該検出領域の方向を求める手段と、前記インピーダンス感知手段によりインピーダンス変化が検出された領域内から所定の位置を求めて当該位置の時間的な変化を集合的に操作入力信号として生成する手段と、前記求めた検出領域の方向に応じて前記生成した操作入力信号の区切りを制御する手段とを有する携帯型電子装置。【選択図】      図１
2004178547.tif 000002
【特許請求の範囲】
【請求項１】
操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段によりインピーダンス変化が検出された領域の形状に基づいて該検出領域の方向を求める方向演算手段と、
前記インピーダンス感知手段によりインピーダンス変化が検出された領域内から所定の位置を求めて当該位置の時間的な変化を集合的に操作入力信号として生成する入力信号生成手段と、
前記方向演算手段が求めた検出領域の方向に応じて前記入力信号生成手段が生成した操作入力信号の区切りを制御する入力信号制御手段と、
を有することを特徴とする携帯型電子装置。
【請求項２】
請求項１に於いて、
前記入力信号生成手段が生成した操作入力信号の軌跡に基づいて文字を認識する文字認識手段を更に有し、
前記入力信号制御手段は、前記方向演算手段が求めた検出領域の方向の切換を前記入力信号生成手段が生成した操作入力信号に基づく文字認識の区切りとして前記文字認識手段に与える、
ことを特徴とする携帯型電子装置。
【請求項３】
操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段によりインピーダンス変化が検出された領域の形状に基づいて該検出領域の方向を求める方向演算手段と、
前記方向演算手段が求めた検出領域の方向に対応する意味を持つ操作入力信号を生成する入力信号生成手段と、
を有することを特徴とする携帯型電子装置。
【請求項４】
操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段によりインピーダンス変化が検出された領域の形状に基づいて該検出領域の方向を求める方向演算手段と、
前記インピーダンス感知手段によるインピーダンス変化の検出に応じて操作入力信号を生成する入力信号生成手段と、
前記方向演算手段が求めた検出領域の方向に応じて前記入力信号生成手段が生成した操作入力信号を制御する入力信号制御手段と、
を有することを特徴とする携帯型電子装置。
【請求項５】
請求項１〜請求項４の何れかに於いて、
複数のキーを有するキーパッドを更に有し、
前記インピーダンス感知手段は、前記キーパッドの下方に設けられた静電容量感知手段である、
ことを特徴とする携帯型電子装置。
【請求項６】
請求項５に於いて、
前記方向演算手段が求めた検出領域の方向が所定の方向範囲にある場合にのみ前記キーパッドからのキー入力を有効とするキー入力処理手段を更に有する、
ことを特徴とする携帯型電子装置。
【請求項７】
請求項１〜請求項６の何れかに於いて、
前記携帯型電子装置は移動電話機である、
ことを特徴とする携帯型電子装置。
【請求項８】
請求項１〜請求項６の何れかに於いて、
前記携帯型電子装置は携帯情報端末である、
ことを特徴とする携帯型電子装置。
【請求項９】
請求項１〜請求項６の何れかに於いて、
前記携帯型電子装置はノートパソコンである、
ことを特徴とする携帯型電子装置。
【請求項１０】
請求項１〜請求項９の何れかに於いて、
前記方向演算手段が求めた検出領域の方向は、携帯型電子装置を携帯する向きに応じて変化する検出領域の方向であって、
斯かる方向の変化により、前記入力信号生成手段が生成した操作入力信号の区切りを制御する、
ことを特徴とする携帯型電子装置。
【請求項１１】
請求項１〜請求項９の何れかに於いて、
携帯型電子装置を動作させる前記操作入力信号は手書き入力するペンまたは指などの入力手段により入力され、
前記方向演算手段が求めた検出領域の方向は、当該入力手段の向きに応じて変化する検出領域の方向であって、
斯かる方向の変化により、前記入力信号生成手段が生成した操作入力信号の区切りを制御する、
ことを特徴とする携帯型電子装置。
【発明の詳細な説明】
【０００１】
【発明の属する技術分野】
本発明は、移動電話機，携帯情報端末（ＰＤＡ），ノートパソコン等の携帯型の電子装置（以下「移動電話機等」）に関する。詳しくは、操作者が移動電話機等に触れる方向を検出して、該検出した方向に応じて所望の機能を実現するようにした移動電話機等に関する。
【０００２】
【従来の技術】
操作者が移動電話機等に触れる方向を検出する機能や、検出した方向に応じて所望の機能を実現する機能を備えた移動電話機等は知られていない。
タッチパッド上にステライタスペン等で手書きした文字を認識する機能を持つ装置では、手書き文字と次の手書き文字との区切りを別途入力している。
【０００３】
下面側に静電容量感知プレートを設けたキーマットを用いてキーパッドを構成することにより、従来と同様のキー入力機能を持ち、さらに、タッチパッドとしての入力機能をも併せ持たせたユーザインターフェース装置（移動電話機等のユーザインターフェース装置）が開示されている（特許文献１参照）。
【０００４】
【特許文献１】
特開２００２−１９６８５６。
【０００５】
【発明が解決しようとする課題】
本発明は、操作者が移動電話機等に触れる方向を検出する機能を備え、該機能により検出した方向に応じて所望の機能を実現することができる移動電話機等を提供することを目的とする。
所望の機能とは、例えば、（１）手書きした文字を認識するアプリケーションに対して文字と文字の区切りを与える機能、（２）検出した方向に応じて決まる処理を実行する機能、（３）検出した方向に応じてアプリケーション毎に決まる処理を実行する機能、等である。
【０００６】
【課題を解決するための手段】
本発明の構成を、下記［１］〜［１１］に示す。
［１］  操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段によりインピーダンス変化が検出された領域の形状に基づいて該検出領域の方向を求める方向演算手段と、
前記インピーダンス感知手段によりインピーダンス変化が検出された領域内から所定の位置を求めて当該位置の時間的な変化を集合的に操作入力信号として生成する入力信号生成手段と、
前記方向演算手段が求めた検出領域の方向に応じて前記入力信号生成手段が生成した操作入力信号の区切りを制御する入力信号制御手段と、
を有することを特徴とする携帯型電子装置。
【０００７】
インピーダンス感知手段としては、例えば、静電容量感知手段を挙げることができるが、静電容量感知手段に限定されない。抵抗変化を感知する手段等の公知のインピーダンス感知手段を適宜に用いてもよい。静電容量感知手段の一具体例については、実施の形態の項にて詳述する。
インピーダンス感知手段は、携帯型電子装置のケース体の表面又は表面近傍の全部又は一部に面状に設けられる。面状とは、平面形状ばかりでなく、ケース体の表面に沿う等の曲面形状をも含む。インピーダンス感知手段は、プレート状でもよく、可撓性を有するフィルム状でもよい。
【０００８】
「インピーダンス変化検出領域の形状に基づいて該検出領域の方向を求める方法」を、図５を参照して説明する。
図５（ａ）の格子は、インピーダンス感知手段の一具体例である静電容量式センサ３０のストライプ状の第１電極３１ａ群と、該第１電極３１ａ群と直交する方向のストライプ状の第２電極３２ａ群とを示す。第１電極３１ａ群は第１プレート上に形成されており、第２電極３２ａ群は第１プレートと一体に接着される第２プレート上に形成されている。
指Ｆが静電容量式センサ３０に接触（又は１ｍｍ程度まで近接）すると、該接触部位付近で第１電極３１ａと第２電極３２ａ間の静電容量が変化し、これを信号として出力する。こうして、指Ｆの接触が検出される。
いま、図５（ａ）のように指Ｆが斜め方向（図示のＸＹ座標系で略１３０°付近）から接触した場合を考える。この時、静電容量式センサ３０内で静電容量が変化する部位は、図５（ａ）内に破線で示す変形楕円Ｔ内である。この変形楕円Ｔの長軸方向ＣＬは、略指Ｆの方向である。また、短軸方向ＣＳは、長軸方向ＣＬに略直交する方向である。また、変形楕円Ｔの重心位置Ｇは、変形楕円Ｔ内に於いて指Ｆの先端寄りの部位にある（図５（ｂ）参照）。
したがって、指Ｆの接触による静電容量の変化範囲（変形楕円Ｔの範囲）の形状（重心位置の存在する側）と傾きとを求めることにより、指Ｆの方向（検出領域の方向）を検出できることがわかる。
なお、上記変形楕円Ｔ内の各点の座標を２乗誤差最小化法により直線に近似して、該直線の傾きから指Ｆの方向を求めてもよい。
また、静電容量式センサ３０の精度や、雑音等により、図形の概形が楕円から大きく外れた場合には、領域の膨張と収縮等、パターン処理に用いる一般的な手法を用いて楕円に近づける等してもよい。
【０００９】
「インピーダンス感知手段によりインピーダンス変化が検出された領域内から所定の位置を求めて当該位置の時間的な変化を集合的に操作入力信号とする」について説明する。
インピーダンス変化検出領域内から求める所定の位置とは、面状のインピーダンス感知手段上の領域内での前記検出領域の重心位置（重心以外の他の代表位置を用いてもよい）である。インピーダンス感知手段が曲面を成す場合には、該曲面を平面に展開して得る領域を、上記インピーダンス感知手段上の領域として採用する。
インピーダンス感知手段上の領域内の各座標に１対１に対応する座標を持つ領域をメモリ上に設け、前記検出領域の重心位置の時間的変化を記録することにより操作入力信号が描く軌跡を得る。
【００１０】
［２］  前記［１］の構成に於いて、
前記入力信号生成手段が生成した操作入力信号の軌跡に基づいて文字を認識する文字認識手段を更に有し、
前記入力信号制御手段は、前記方向演算手段が求めた検出領域の方向の切換を前記入力信号生成手段が生成した操作入力信号に基づく文字認識の区切りとして前記文字認識手段に与える、
ことを特徴とする携帯型電子装置。
【００１１】
手書きした軌跡として蓄積した座標から文字認識を行う技術については、例えば「コンピュータによる手書き文字認識（http://www.nemoto.ecei.tohoku.ac.jp/〜wai/manu/manu/.html)」に紹介されており、公知である。
前記検出領域の方向が切り換えられた場合には、該切換が文字認識手段に与えられる結果、文字の区切りとして認識されることになる。
前記検出領域の方向が切り換えられる場合とは、例えば、（１）右手の指でインピーダンス感知手段上に手書きしていた文字を、左手の指で手書きするように切り換えた場合、（２）携帯型電子装置を持つ向きを変えた（例：縦向きを横向きに／横向きを縦向きに）場合、等を挙げることができる。
【００１２】
［３］  操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段によりインピーダンス変化が検出された領域の形状に基づいて該検出領域の方向を求める方向演算手段と、
前記方向演算手段が求めた検出領域の方向に対応する意味を持つ操作入力信号を生成する入力信号生成手段と、
を有することを特徴とする携帯型電子装置。
【００１３】
「検出領域の方向に対応して操作入力信号に持たせる意味」としては、種々の場合が想定される。
例えば、方向とアプリケーションを対応付けておき、メニュー画面で所定の方向を入力する（＝例えば、所定の方向に入力が行われる指でインピーダンス感知手段上に触れる；以下、同様）ことにより、該所定の方向に対応したアプリケーションを起動するようにしてもよい。
また、階層構造のメニュー画面に於いて所定の方向を入力することにより、階層を深くし、又は、浅くするようにしてもよい。
また、ゲームソフト等に於いて、例えば、右手人指し指に相当する方向の入力を右移動、左手人指し指に相当する方向の入力を左移動、等としてもよい。
なお、これらは例示であり、前記「操作入力信号に持たせる意味」がこれらに限定されないことは勿論である。
【００１４】
［４］  操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段によりインピーダンス変化が検出された領域の形状に基づいて該検出領域の方向を求める方向演算手段と、
前記インピーダンス感知手段によるインピーダンス変化の検出に応じて操作入力信号を生成する入力信号生成手段と、
前記方向演算手段が求めた検出領域の方向に応じて前記入力信号生成手段が生成した操作入力信号を制御する入力信号制御手段と、
を有することを特徴とする携帯型電子装置。
この［４］の構成は、前記［３］の構成と略同様であるが、前記［３］の構成では「持たせる意味」が固定されてしまうのに対して、この［４］では適宜に制御可能である。
【００１５】
［５］  前記［１］〜［４］の構成の何れかに於いて、
複数のキーを有するキーパッドを更に有し、
前記インピーダンス感知手段は、前記キーパッドの下方に設けられた静電容量感知手段である、
ことを特徴とする携帯型電子装置。
複数のキーは、例えば、携帯型電子装置が移動電話機の場合は、テンキーと少数の機能キーである。インピーダンス感知手段をキーパッドの下方のみに設けてもよく、キーパッドより広く設けてもよい。
インピーダンス感知手段３１（３２）がキーパッド２１（２２）の下方に設けられている例を、図４（ａ）に示す。
【００１６】
［６］  前記［５］の構成に於いて、
前記方向演算手段が求めた検出領域の方向が所定の方向範囲にある場合にのみ前記キーパッドからのキー入力を有効とするキー入力処理手段を更に有する、
ことを特徴とする携帯型電子装置。
ユーザが或る所定の方向で（＝或る所定の持ち方で）携帯型電子装置を持った場合にのみ、前記検出領域の方向が前記所定の方向範囲内となる。したがって、上記の方向についての知識がない他人が当該携帯型電子装置を操作しても、キー入力は無効とされる。つまり、不正使用を防止できる。
【００１７】
［７］  前記［１］〜［６］の構成の何れかに於いて、前記携帯型電子装置は移動電話機である、
ことを特徴とする携帯型電子装置。
［８］  前記［１］〜［６］の構成の何れかに於いて、
前記携帯型電子装置は携帯情報端末である、
ことを特徴とする携帯型電子装置。
［９］  前記［１］〜［６］の構成の何れかに於いて、
前記携帯型電子装置はノートパソコンである、
ことを特徴とする携帯型電子装置。
［10］  前記［１］〜［9］の構成の何れかに於いて、
前記方向演算手段が求めた検出領域の方向は、携帯型電子装置を携帯する向きに応じて変化する検出領域の方向であって、
斯かる方向の変化により、前記入力信号生成手段が生成した操作入力信号の区切りを制御する、
ことを特徴とする携帯型電子装置。
［11］  前記［１］〜［9］の構成の何れかに於いて、
携帯型電子装置を動作させる前記操作入力信号は手書き入力するペンまたは指などの入力手段により入力され、
前記方向演算手段が求めた検出領域の方向は、当該入力手段の向きに応じて変化する検出領域の方向であって、
斯かる方向の変化により、前記入力信号生成手段が生成した操作入力信号の区切りを制御する、
ことを特徴とする携帯型電子装置。
このように、検出領域の方向の変化は、携帯型電子装置の携帯する向きと、入力手段の向きとの相対的な位置関係により変化するものであって、携帯型電子装置の携帯する向きが変化した場合にも発生し、また入力手段の向きの変化に応じても発生する。
特に携帯型電子装置の携帯する向きは３次元の空間で任意に変化することが予測され、それに応じて入力手段の向きとの相対的な位置関係が変化することによって、前記方向演算手段が求めている検出領域の方向が変化することになる。
【００１８】
【発明の実施の形態】
以下、図面を参照して、本発明の携帯型電子装置を、移動電話機として具体化した実施の形態を説明する。
図１は実施の形態の移動電話機の構成を示すブロック図である。図２は実施の形態の移動電話機の外観図（ａ）と、外観図（ａ）内のＢ−Ｂ線部分の主要構成の模式的断面図（ｂ）である。図３は図２（ｂ）を分解して示す模式的斜視図である。図４はインピーダンス感知手段（静電容量センサ）とキーパッドの位置関係を示し、（ａ）はキーパッド２１の下方にインピーダンス感知手段（静電容量センサ３１，３２）を設けた例、（ｂ）はキーパッド２１，２２と別の部位にインピーダンス感知手段（静電容量センサ３１，３２）を設けた例を示す。図５はインピーダンス変化の検出領域の形状に基づいて該検出領域の方向を求める方法の説明図、図６〜図７はインピーダンス感知手段（静電容量センサ）による検出結果に応じて処理を行う手順を示すフローチャートである。
【００１９】
図２（ａ）及び図４（ａ）（ｂ）に例示する移動電話機は、液晶ディスプレイ６０、キーパッド２０の構成要素であるキーマット２１上に設けられたテンキーやファンクションキー２１ａ，２１ｂ，，，等のキー群、音声入力装置（マイクロフォン）７２、音声出力装置（受話口）７１、アンテナ５０、等の各種の部材を有し、これらが、ケース内又はケース外に一体に組付けられている。また、不図示のバッテリーが、着脱自在に設けられている。なお、図４（ｂ）では液晶ディスプレイやテンキー等の図示を省略する等、適宜、部材の図示を省略しているが、これは、例えば、図４（ｂ）がキーパッドとインピーダンス感知手段（静電容量センサ）との位置関係の説明を企図する図であるためである。
【００２０】
キーパッド２０は、図２（ｂ）及び図３に示すように、キーマット２１と可撓性基板２２とを有し、該キーマット２１と該可撓性基板２２との間に、インピーダンス感知手段の具体例である静電容量センサ３０（３１，３２）が挟み込まれて、接着層１１，１３により接着されている。なお、図２（ｂ）や図３に示す構成は、図４（ａ）の如くキーパッドの下に静電容量センサを設ける場合の一構成を例示するものであり、キーパッドが無い構成や、キーパッドとは別の部位に静電容量センサを設ける構成では、図２（ｂ）や図３に示す構成とは異なる構成を採用する。また、図４（ａ）の如くキーパッドの下に静電容量センサを設ける場合であっても、必ずしも図２（ｂ）や図３のように構成する必要は無く、キーパッドの下に静電容量センサを位置させ得る構成であれば、適宜に採用してよいことは勿論である。また、キーマット２１と可撓性基板２２との間に静電容量センサを挟み込む場合についても、接着層１１，１３を必ずしも介在させる必要はなく、キーマット２１と可撓性基板２２との間に静電容量センサを挟み込み得る構成を、適宜に採用してよいことは勿論である。
【００２１】
キーマット２１の上面には、図３に示すように、テンキー２１ａ，２１ｂ，，，やファンクションキー等のキー群が設けられており、これらのキー群に対応付けて、可撓性基板上にそれぞれ金属コンタクト２２ａ，２２ｂ，，，が設けられている。ユーザが所望のキーを押圧すると、該キーに加えた押圧力が静電容量センサ３０（３１，３２）を介して直下位置の金属コンタクトに伝わり、これにより、当該金属コンタクトが、電気信号をキーパッドインターフェース回路２０１へ出力する。即ち、キーの押圧が検出される。
キー押下時のクリック感（金属ノック感）を出すために、テンキー２１ａ，２１ｂ等の各キーの下部中央部分に突起を設けるとともに、中間に位置する静電容量センサ３１，３２等の対応部位に穴をあけておき、上記突起を金属コンタクト２ａ，２２ｂ等まで貫通させるように構成してもよい。
【００２２】
静電容量センサ３０は、第１プレート３１と第２プレート３２から成り、接着層１２により接着されて一体化されている。両プレート３１，３２にはそれぞれストライプ状の電極（例：ＩＴＯ電極）が形成されており、このストライプ状の電極が直交方向を成すように（＝グリッド状を成すように）、第１プレート３１と第２プレート３２が設けられる。指先等の人体の部位が接触（又は近接）すると、該接触（又は近接）部位付近の第１プレート３１の電極と、第２プレート３２の電極との間の静電容量が変化し、これが、静電容量インターフェース３０１へ出力される。即ち、静電容量の変化が検出される。なお、かかる構成は静電容量センサの一例を示すものであり、上記以外の他の構成の静電容量センサであっても、適宜に採用してよいことは勿論である。
【００２３】
本移動電話機の回路は、図１に示すように、音声入力装置７２から入力される電気信号（音声信号）を符号化して無線インターフェース回路８２へ与えるとともに、無線インターフェース回路８２から与えられるデータ（音声データ等；音声データ以外のデータについては説明を省略する）を復号して電気信号（音声信号）として音声出力装置７１へ出力することにより音声を出力させるコーデック回路８１と、コーデック回路８１から与えられるデータを電気信号に変換してアンテナ５０から出力するとともに、アンテナ５０にて受信された電気信号をデータ（音声データ等；音声データ以外のデータについては説明を省略する）に変換してコーデック回路８１へ出力する無線インターフェース回路８２と、コーデック回路８１や無線インターフェース回路８２の動作を制御等するコントローラ８３と、コントローラ８３が必要に応じて使用するメモリ８４を有する。コーデック回路８１、無線インターフェース回路８２、コントローラ８３、メモリ８４により、従来公知の移動電話機回路８０が構成される。
【００２４】
コントローラ８３には、上記コーデック回路８１や無線インターフェース回路８２以外に、キーパッド２０のキー２１ａ，２１ｂ，，，の押圧によって生成された電気信号（押圧検出信号）が、キーパッドインターフェース回路２０１でデータ（押圧検出データ）に変換されて、入力される。また、コントローラ８３には、人体の接触（又は近接）に応じて静電容量センサ３０にて検出された静電容量の変化が、静電容量センサインターフェース回路３０１でデータに変換されて入力される。
以下、これらの入力の処理を、フローチャートを参照して説明する。
【００２５】
（１）図６のフローチャート：
図６は、静電容量式センサ３０上で文字を手書きしている指Ｆの方向が変化したとき、文字の区切り（次文字の開始）である旨を、文字認識機能に通知する手順を示す。なお、文字認識機能は、コントローラ８３が公知の文字認識ソフトウェアを実行することにより実現されるものとする。かかる指Ｆの方向の変化は、文字を手書きしている指を変更したとき、例えば右手の第２指から右手の第３指へ変えた時、また例えば右手の第２指から左手の第２指へ変えた時、に起こりうる。さらに移動電話機を前後、左右、上下のいずれか、もしくはそれらの組み合わせでもって傾けた場合に、文字を手書きしている指Ｆの方向は、移動電話機と指Ｆとの相対的な位置関係が変化することにより、指Ｆの方向の変化が発生したのと同様の変化が起こりうる。
【００２６】
まず、センサ信号を検出するタイミングになると（Ｓ０１でＹＥＳ）、静電容量式センサ３０からの出力信号を取り込む（Ｓ０３）。また、今回検出した検出領域の位置、つまり、重心位置を、文字認識機能に与える（Ｓ０５）。これにより、文字認識機能は、今回検出した検出領域の位置を、メモリ上に蓄積する。即ち、文字軌跡に付け加える。
【００２７】
次に、検出領域の方向を求める（Ｓ０７）。この手法については先に図５を参照して詳述したため、ここでの説明は割愛する。
【００２８】
検出方向が前回の検出時と異なるか否かをチェックする（Ｓ０９）。なお、当然ながら、ある程度の誤差範囲は許容することとする。例えば、０〜４５°、４５〜９０°、９０〜１３５°、１３５〜１８０°、程度の範囲ごとに、検出方向の同一性を判断するものとする。
【００２９】
ステップＳ０９でのチェックの結果、今回検出した領域（静電容量の変化が検出された領域）の方向が前回と異なる場合は（Ｓ０９でＹＥＳ）、文字の区切りであり、次文字を開始するべき旨を文字認識機能に通知する（Ｓ１１）。
以上のように処理が行われる。
【００３０】
（１）図７のフローチャート：
図７は、今回検出した領域（静電容量の変化が検出された領域）の方向に応じて、実行すべき処理を決定して、実行する手順である。
【００３１】
ステップＳ０１、Ｓ０３、Ｓ０７は、図６と同様である。
ステップＳ２１では、ステップＳ０７で求めた検出方向に対応して実行すべき処理を、現在のアプリケーション用の「方向−処理テーブル（図７（ｂ））」から取得する。「方向−処理テーブル」は、アプリケーション別に本移動電話機が持っているものとする。図示の例では、例えば、ステップＳ０７で求めた検出方向が「４５〜９０°」の範囲であれば、「左上移動」という処理を実行することとなる。
このようにして、図７の手順が実行される。
【００３２】
上述の実施の形態は、本発明を移動電話機として具体化した例であるが、本発明は移動電話機に限定されず、例えば、携帯情報端末（ＰＤＡ）や、ノートパソコン等の携帯型電子装置についても、上記と同様に適用することができる。
【００３３】
【発明の効果】
操作入力信号に応じて動作する前記［１］の携帯型電子装置は、前記携帯型電子装置のケース体の表面又は表面近傍の少なくとも一部に面状に設けられたインピーダンス感知手段と、前記インピーダンス感知手段によりインピーダンス変化が検出された領域の形状に基づいて該検出領域の方向を求める方向演算手段と、前記インピーダンス感知手段によりインピーダンス変化が検出された領域内から所定の位置を求めて当該位置の時間的な変化を集合的に操作入力信号として生成する入力信号生成手段と、前記方向演算手段が求めた検出領域の方向に応じて前記入力信号生成手段が生成した操作入力信号の区切りを制御する入力信号制御手段とを有するため、操作者が移動電話機等に触れる方向を検出し、該検出した方向に応じて操作入力信号の区切りを制御することができる。
【００３４】
操作入力信号に応じて動作する前記［３］の携帯型電子装置は、前記携帯型電子装置のケース体の表面又は表面近傍の少なくとも一部に面状に設けられたインピーダンス感知手段と、前記インピーダンス感知手段によりインピーダンス変化が検出された領域の形状に基づいて該検出領域の方向を求める方向演算手段と、前記方向演算手段が求めた検出領域の方向に対応する意味を持つ操作入力信号を生成する入力信号生成手段とを有するため、操作者が移動電話機等に触れる方向を検出し、該検出した方向に応じて決まる意味を持つ操作入力信号を生成することができる。
【００３５】
操作入力信号に応じて動作する前記［４］の携帯型電子装置は、前記携帯型電子装置のケース体の表面又は表面近傍の少なくとも一部に面状に設けられたインピーダンス感知手段と、前記インピーダンス感知手段によりインピーダンス変化が検出された領域の形状に基づいて該検出領域の方向を求める方向演算手段と、前記インピーダンス感知手段によるインピーダンス変化の検出に応じて操作入力信号を生成する入力信号生成手段と、前記方向演算手段が求めた検出領域の方向に応じて前記入力信号生成手段が生成した操作入力信号を制御する入力信号制御手段とを有するため、操作者が移動電話機等に触れる方向を検出し、該検出した方向に応じて操作入力信号を制御することができる。
【図面の簡単な説明】
【図１】実施の形態の移動電話機の構成を示すブロック図。
【図２】実施の形態の移動電話機の外観図（ａ）と、外観図（ａ）内のＢ−Ｂ一点鎖線部の主要構成部分の模式的断面図（ｂ）。
【図３】図２（ｂ）を分解して示す模式的斜視図。
【図４】静電容量センサ３０（３１，３２）とキーパッド２０（２１，２２）の位置関係を示し、（ａ）はキーパッド２０（２１，２２）の下方位置に静電容量センサ３０（３１，３２）を設けた例、（ｂ）はキーパッド２０（２１，２２）と別の部位に静電容量センサ３０（３１，３２）を設けた例を示す。
【図５】インピーダンス変化の検出領域の形状に基づいて該検出領域の方向を求める方法の説明図。
【図６】静電容量センサ３０（３１，３２）による検出結果に応じて文字入力の区切り等を行う処理手順を例示するフローチャート。
【図７】静電容量センサ３０（３１，３２）による検出結果に応じて所定の処理を行う処理手順を例示するフローチャート（ａ）と、方向−処理テーブルを例示する説明図（ｂ）。
【符号の説明】
２０  キーパッド
２１  キーパッドのキーマット
２２  キーパッドの可撓性基板
２１ａ，２１ｂ  キー
２２ａ，２２ｂ  金属コンタクト
３０  静電容量センサ（インピーダンス感知手段）
３１  静電容量センサの第１プレート
３２  静電容量センサの第２プレート
１１，１２，１３  接着層
【図１】
2004178547.tif 000003
【図２】
2004178547.tif 000004
【図３】
2004178547.tif 000005
【図４】
2004178547.tif 000006
【図５】
2004178547.tif 000007
【図６】
2004178547.tif 000008
【図７】
2004178547.tif 000009